(57)【特許請求の範囲】
【請求項１】
記録媒体より情報を再生する情報再生装置において、
上記記録媒体より入力待機状態データ及び記録媒体固有の識別コードを読み出す手段と、
上記入力待機状態データを記憶する記憶手段とを具備し、
上記記憶手段は、利用者が少なくとも一度使用した記録媒体に対して上記識別コードをも記憶し、
システムの立ち上げの際に、装着された記録媒体より読み出された識別コードが上記記憶手段に記憶されている識別コードと一致した場合には、その識別コードに関連付けられている入力待機状態データを読み出し、対応する画面出力を行った上で、その後も継続してシステムの立ち上げ処理を行う
ことを特徴とする情報再生装置。
【請求項２】
記録媒体より情報を再生する情報再生装置において、
上記記録媒体より入力待機状態データを読み出す手段と、
上記入力待機状態データを記憶する手段と、
上記記録媒体の交換の有無を検出する検出手段とを具備し、
システムの立ち上げの際に、上記検出手段により、装着された記録媒体の交換が無かったものと判断された場合には、上記記憶手段から入力待機状態を読み出し、読み出された入力待機状態に対応する画面出力を行った上で、その後も継続してシステムの立ち上げ処理を行う
ことを特徴とする情報再生装置。
【請求項３】
上記入力待機状態データは、利用者が前回最後に使用した情報であることを特徴とする請求項１又は２記載の情報再生装置。
【発明の詳細な説明】
【０００１】
【産業上の利用分野】
本発明は、ＣＤ−ＲＯＭなどの記録媒体およびその再生装置に適用する情報再生装置に関する。
【０００２】
【従来の技術】
近年、辞書、地図などのデータが記録された１２ｃｍ径、または８ｃｍ径のＣＤ−ＲＯＭを用い、キーボードなどの入力装置から所望の単語を検索語として入力することにより、その検索語に対応した情報を検索してディスプレイなどに表示させる情報再生装置が知られている。この再生装置によれば、所望の単語、言葉の意味などを手軽に、かつ短時間で検索することができる。
【０００３】
図２０は従来の情報再生装置に関するブロック回路図を示したものである。ここでは情報記録媒体としてＣＤ−ＲＯＭを用いた場合について説明する。図において、１はＣＤ−ＲＯＭドライブ、２はデータ処理部、３はインターフェイス部、４はキーボードなどによる入力部、５はＣＰＵ、６は文字情報などをディスプレイ上に表示させる表示部、７はシステム立ち上げプログラムおよび検索プログラムなどを格納しているＲＯＭである。
【０００４】
次に、動作を図２１のフローチャートに沿って説明する。ＣＤ−ＲＯＭドライブ１には、辞書データなどを記録したＣＤ−ＲＯＭが装着されている。まず、電源をＯＮすると、ＣＰＵ５はＳ１でＲＯＭ７に格納されたプログラムにしたがってＣＤ−ＲＯＭドライブ１を制御し、初期設定データを読み出す。ＣＤ−ＲＯＭから読み出されたデータは、データ処理部２でデータ処理を施され、インターフェイス部３を介してＣＰＵ５に送られ、そこで使用可能状態（Ｓ２）となる。利用者はディスプレイなどの表示部６に表示されるメニューを選択、例えば検索方法などをキーボードなどの入力部４により入力・選択し、検索を開始する。
【０００５】
次に、検索動作を図２２のフローチャートに沿って説明する。利用者は、表示の指示に従って、Ｓ３で入力部４から検索したい文字を入力すると、インターフェイス部３を介してＣＰＵ５に指示が与えられる。ＣＰＵ５は、Ｓ４でＲＯＭ７に格納されている検索プログラムに従ってＣＤ−ＲＯＭの所定箇所を順次再生するようＣＤ−ＲＯＭドライブ１を制御しながら、目的とするデータのアドレスを探し出す。このとき、通常の文字検索では、前方一致のインデックスが用いられる。前方一致インデックス中の階層化されたエントリー、すなわち、本文から抽出された見出し語とそのアドレスのペアを順に上の階層からたどっていき、最終的に目標箇所にたどり着く。そこで、Ｓ５でこの本文データをＣＤ−ＲＯＭから再生して、Ｓ６で文字情報を表示部６上に表示させる。
【０００６】
次に、一枚のディスク上に複数種類の辞書などの情報が存在するディスクを使用する場合について、図２３のフローチャートに沿って説明する。まず、電源をＯＮすると、ＣＰＵ５はＳ１でＲＯＭ７に格納されたプログラムにしたがってＣＤ−ＲＯＭドライブ１を制御し、初期設定データを読み出す。ＣＤ−ＲＯＭから読み出されたデータは、データ処理部２でデータ処理を施され、インターフェイス部３を介してＣＰＵ５に送られる。ここで、ＣＰＵ５はＳ２で表示部６にメニュー選択画面を表示し、Ｓ３で入力部４により使用する情報を指定した後、ＣＰＵ５はＳ４でＣＤ−ＲＯＭドライブを制御し、指定した情報に関する設定データを読み出し、ここで初めて、選択した情報が使用可能状態となる（Ｓ５）。
【０００７】
【発明が解決しようとする課題】
従来の情報再生装置はこのように構成されており、ＣＤ−ＲＯＭのファイルは階層構造になっており、また、初期設定データのアドレスはディスク上に点在しているため、初期設定データをすべて読み出すのに多くの時間を費やしてしまい、利用者が電源を入れてから使用可能となるまでの時間が長いという問題点があった。
【０００８】
本発明は上記の問題点を解消するためのもので、電源をＯＮした後の待ち時間を短縮することにより利便性を高めることのできる情報再生装置を提供することを目的とする。
【０００９】
【課題を解決するための手段】
請求項１の発明に係る情報再生装置は、
記録媒体より情報を再生する情報再生装置において、
上記記録媒体より入力待機状態データ及び記録媒体固有の識別コードを読み出す手段と、
上記入力待機状態データを記憶する記憶手段とを具備し、
上記記憶手段は、利用者が少なくとも一度使用した記録媒体に対して上記識別コードをも記憶し、
システムの立ち上げの際に、装着された記録媒体より読み出された識別コードが上記記憶手段に記憶されている識別コードと一致した場合には、その識別コードに関連付けられている入力待機状態データを読み出し、対応する画面出力を行った上で、その後も継続してシステムの立ち上げ処理を行う
ことを特徴とする。
【００１０】
請求項２の発明に係る情報再生装置は、
記録媒体より情報を再生する情報再生装置において、
上記記録媒体より入力待機状態データを読み出す手段と、
上記入力待機状態データを記憶する手段と、
上記記録媒体の交換の有無を検出する検出手段とを具備し、
システムの立ち上げの際に、上記検出手段により、装着された記録媒体の交換が無かったものと判断された場合には、上記記憶手段から入力待機状態を読み出し、読み出された入力待機状態に対応する画面出力を行った上で、その後も継続してシステムの立ち上げ処理を行う
ことを特徴とする。
【００１１】
【作用】
請求項１の発明に係る情報再生装置は、利用者が少なくとも一度使用した記録媒体に対しては、システムの立ち上げ時に、上記装置の記憶手段に記憶されている、識別コードに関連付けられている入力待機状態データを上記記憶手段より読み出し、対応する画面出力を行った上で、その後も継続してシステムの立ち上げ処理を行うので、利用者がシステムの立ち上げの遅さを感じることなく利用できる。
【００１２】
請求項２の発明に係る情報再生装置は、記録媒体の交換が無かったと判断された場合、システムの立ち上げ時に、入力待機状態データを上記記憶手段より読み出し、対応する画面出力を行った上で、その後も継続してシステムの立ち上げ処理を行うので、利用者がシステムの立ち上げの遅さを感じることなく利用できる。
【００１３】
【実施例】
実施例１．
図１はこの発明の一実施例による情報再生装置を示すブロック回路図である。この実施例１では、情報記録媒体としてＣＤ−ＲＯＭを用いた場合について説明する。図において、図２０と同一符号はそれぞれ同一または相当分を示しており、８は装着するＣＤ−ＲＯＭの初期設定データなどを記憶しておくことのできるＲＡＭである。
【００１４】
次に、実施例１の動作を説明する。通常動作は従来例と同様であるので説明は省略する。図２は本実施例１のシステム立ち上げ時のフローチャートを示したものである。電源をＯＮすると、ＣＰＵ５はＳ１で装着されているＣＤ−ＲＯＭからそのＣＤ−ＲＯＭ固有の識別コードを読み出し、Ｓ２でそれをＲＡＭ８に照会し、同一の識別コードが存在すれば、Ｓ３でそれに対応した初期設定データをＲＡＭ８より読み出し、Ｓ４でシステムの立ち上げを行う。この場合、初期設定データをＲＡＭ８より読み出すためディスクより読み出す場合と比較して、アドレスサーチなどをする必要がないため、すばやく初期設定状態に到達することができる。もしＳ２で同一識別コードが存在しなければ、Ｓ５でディスクより初期設定データを読み出す通常通りのシステム立ち上げを行う。その上で、Ｓ６でＣＤ−ＲＯＭの識別コードおよび識別コードに対応した初期設定データをＲＡＭ８に記憶させる。
【００１５】
上記したＲＡＭ８は、バッテリでバックアップされているものや、不揮発性ＲＡＭのように電源をＯＦＦしても記憶内容が保持されるものを用いる。
【００１６】
また、ＲＡＭ８に記憶する識別コードと初期設定データは、一種類以上何種類でもよい。
【００１７】
実施例２．
図３はこの発明の実施例２による情報再生装置を示すブロック回路図である。図において図１と同一符号はそれぞれ同一または相当部分を示しており、９は実施例１のＲＯＭ７に示したプログラムの他にＣＤ−ＲＯＭの識別コードおよび初期設定データなどが予め格納されているマスクＲＯＭなどの読み出し専用のメモリである。
【００１８】
図４は本実施例２に関するフローチャートを示したものである。次に、実施例２の動作を図４のフローチャートに沿って説明する。電源をＯＮすると、ＣＰＵ５はＳ１で装着されているＣＤ−ＲＯＭからそのＣＤ−ＲＯＭ固有の識別コードを読み出し、それをＳ２でマスクＲＯＭ９に照会し、同一の識別コードが存在すれば、Ｓ３でそれに対応した初期設定データをＲＯＭ９より読み出し、Ｓ４でシステムの立ち上げを行う。この場合も実施例１の場合と同様に、初期設定データをＲＯＭ９より読み出すためすばやく初期設定状態に到達することができる。Ｓ２で同一識別コードが存在しなければ、Ｓ５でディスクより初期設定データを読み出す通常通りのシステム立ち上げを行う。
【００１９】
本実施例２による方法では、マスクＲＯＭを用いるため、所定のＣＤ−ＲＯＭに対して実施例１よりさらに迅速な立ち上げが可能となる。
【００２０】
実施例３．
図５はこの発明の実施例３による情報再生装置を示すブロック回路図である。図において、図１と同一符号はそれぞれ同一または相当部分を示しており、１０はＣＤ−ＲＯＭ装着口の開閉などによりＣＤ−ＲＯＭの入れ替えを検出する装着口開閉検出部である。
【００２１】
図６は本実施例３に関するフローチャートである。次に、実施例３の動作を説明する。電源をＯＮすると、ＣＰＵ５はＳ１で装着されているＣＤ−ＲＯＭからそのＣＤ−ＲＯＭ固有の識別コードを読み出し、装着口開閉検出部１０は電源ＯＦＦ時におけるＣＤ−ＲＯＭ装着口の開閉によって、ＣＤ−ＲＯＭの入れ替えの有無を検出する。Ｓ２で「ＣＤ−ＲＯＭ入れ替え無し」と判断された場合にはＣＰＵ５はＳ３でＲＡＭ８に記憶されている初期設定データを読み出し、Ｓ４でシステムの立ち上げを行う。これにより迅速に初期設定状態に到達することができる。また、ＣＤ−ＲＯＭ装着口の開閉を検出した場合は、Ｓ２でＣＤ−ＲＯＭの入れ替えがあったと判断し、従来例と同様に、Ｓ５でディスクより初期設定データを読み出す通常通りのシステムの立ち上げを行う。その上で、Ｓ６でＲＡＭ８に初期設定データを記憶させる。
【００２２】
実施例４．
この発明の実施例４の情報再生装置は、図１に示す実施例１と同じ構成を有する。本実施例４の情報再生装置では、一枚のディスク上に複数種類の辞書などの情報が存在するディスクを使用する。したがって、電源をＯＮしてから実際に使用できるまでさらに時間がかかる。本実施例４はこの時間を短縮するためのものである。
【００２３】
次に、動作について図７のフローチャートに沿って説明する。電源をＯＮすると、実施例１の場合と同様、Ｓ１でＣＤ−ＲＯＭから識別コードを読み出し、Ｓ２でそれをＲＡＭ８に照会し、同一の識別コードが存在すれば、Ｓ３でそれに対応した初期設定データをＲＡＭ８より読み出す。さらに、ＣＰＵ５はＳ４で複数種類の情報の中から所定の情報を選択し、Ｓ５でその設定データをＲＡＭ８より読み出す。そのため、利用者は直ちに所望する情報を使用することができる。
【００２４】
この実施例４では、初期設定データおよび所定の情報の設定データを予めＲＡＭ８に記憶していたが、ＲＡＭ８を使用せず、使用する情報を選択する画面を表示せず、初期設定データに続き所定の情報の設定データを連続してＣＤ−ＲＯＭより読み出してもよい。
【００２５】
実施例５．
実施例５の情報再生装置はＲＡＭ８に記憶するデータの種類が異なることを除いては図１に示す実施例１と同じ構成を有する。図８はこの実施例５のフローチャートである。実施例５では、複数種類の情報の中から、どの情報を選択するかは、予めＣＤ−ＲＯＭに記録されており、Ｓ７でＣＤ−ＲＯＭより初期設定データを読み出すと同時に、どの情報を選択するかという情報を同時に読み出し、Ｓ１１でＲＡＭ８に記憶しておくものである。
【００２６】
次に、実施例５の動作を図８のフローチャートに沿って説明する。この実施例５の動作は実施例４とほぼ同様であるので、異なる部分について説明する。複数種類の情報からどの情報を選択するかは元々ＣＤ−ＲＯＭに記録されており、Ｓ４でこの情報をＲＡＭ８より読み出す。
【００２７】
この実施例５では、初期設定データおよび所定の情報の設定データを予めＲＡＭ８に記憶していたが、ＲＡＭ８を使用せず、使用する情報を選択する画面を表示せず、初期設定データに続き所定の情報の設定データを連続してＣＤ−ＲＯＭより読み出してもよい。
【００２８】
実施例６．
実施例６の情報再生装置はＲＡＭ８に記憶するデータの種類が異なることを除いては図１に示す実施例１と同じ構成を有する。図９はこの実施例６のフローチャートである。この実施例６は、図９に示すように、電源をＯＦＦする時などにＳ３で最後に使用した情報の種類をＲＡＭ８に記憶しておき、次回システムを立ち上げる時に、前回最後に使用した情報を選択するようにしたものである。この実施例６のシステム立ち上げ時の動作は、実施例５の図８のフローチャートと同様であり、図８中のＳ５において、図９中のＳ３で書き込んだ情報の種類をＲＡＭ８から読み出す。
【００２９】
なお、実施例６では、最後に使用した情報の種類をＲＡＭ８に記憶しておいたが、情報記録媒体としてＭＤ等の記録可能な媒体を使用した場合、その情報記録媒体に記録してもよい。
【００３０】
実施例７．
図１０はこの発明の実施例７による情報再生装置を示すブロック回路図である。図において、図１と同一符号はそれぞれ同一または相当部分を示しており、１１は使用回数計数部で、ＣＤ−ＲＯＭ固有の識別コードとともに情報の使用回数を計数し、記憶する部分である。
【００３１】
次に、実施例７の動作を図１１のフローチャートに沿って説明する。電源をＯＮすると、まずＳ１でＣＤ−ＲＯＭからＣＤ−ＲＯＭ固有の識別コードを読み出し、Ｓ２でＲＡＭ８にそれと同一の識別コードが存在するか照会する。もし、同一の識別コードがＲＡＭ８に存在すれば、Ｓ４で使用回数計数部１１から最も使用回数の多い情報を選択し、Ｓ５でその情報に対する設定データを読み出し、システムの立ち上げを迅速に行うことができる。もし、Ｓ２で同一の識別コードが存在しなければ、従来例と同様のシステムの立ち上げを行い、さらにＳ９で利用者が使用する情報を選択する操作を行うことにより、所望する情報が使用可能の状態となる。
【００３２】
また、図１２のフローチャートに示すように、実際に文字を検索すると使用回数計数部１１は、Ｓ７でその情報の使用回数をインクリメントし、記憶する。このように使用頻度を計数しているため、システムを立ち上げる際、最も頻繁に使用する情報を自動的に立ち上げることができる。
【００３３】
なお、実施例７では、使用回数計数部１１で検索する回数を計数したが、使用する情報を選択する回数を計数してもよい。
【００３４】
また、実施例７では計数した回数を使用回数計数部１１に記憶したが、ＲＡＭ８に記憶してもよい。
【００３５】
また、実施例７では計数した回数を使用回数計数部１１に記憶したが、情報記録媒体としてＭＤ等の記録可能な媒体を使用した場合、その情報記録媒体に記録してもよい。
【００３６】
実施例８．
実施例８の情報再生装置はＲＡＭ８に記憶するデータの種類が異なることを除いては図１に示す実施例１と同じ構成を有する。図１３はこの実施例８のフローチャートである。実施例８では、Ｓ７で使用中に次回立ち上げる時はどの情報から立ち上げるかを設定できるようにし、その情報をＳ８でＲＡＭ８、あるいは、情報記録媒体としてＭＤ等の記録可能な媒体を使用した場合はその媒体自身に記録しておき、次回立ち上げた時は、図８に示した実施例のフローチャートと同様に、初期設定データと同時にＳ４でその情報を読み出し、予め設定した情報を自動的に立ち上げるようにしたものである。
【００３７】
実施例９．
図１４はこの発明の実施例９による情報再生装置を示すブロック回路図である。図において、図１と同一符号はそれぞれ同一または相当部分を示しており、１２は情報を選択するスイッチで、選択する情報を、電源をＯＮする時に任意に設定できる。図１５にスイッチ１２の構成例を示す。図１６はこの実施例９のフローチャートである。この実施例９は、電源をＯＮする時にスイッチ１２の位置を検出し、もしスイッチ１２がＯＮされていれば、ＣＰＵ５の命令にしたがって、Ｓ５でスイッチ１２の番号に対応した情報、図１５に示すような場合は３番の情報の初期設定データをＲＡＭ８より読み出し、直ちに所望する情報を使用することができる。また、スイッチ１２の位置がＯＦＦの場合は、情報を選択する画面を表示するようにしてもよい。
【００３８】
実施例１０．
実施例１０の情報再生装置はＲＡＭ８に記憶するデータの種類が異なることを除いては図１に示す実施例１と同じ構成を有する。図１７はこの実施例１０のフローチャートである。従来の情報再生装置では、システムを立ち上げると、ＣＰＵ５はＣＤ−ＲＯＭより初期設定データを読み出し、表示部６に初期画面を表示した後、モード選択状態（例えば、辞書の場合は「前方一致検索」等の選択状態）となり、入力部４によりモードを選択した後、実際に検索する文字の入力状態になる。従来の情報再生装置では以上のようなステップを踏んでいるため、電源をＯＮしてから実際に検索する文字を入力するまで、非常に時間がかかる。
【００３９】
そこで、この実施例１０では、図１７に示すように、入力待機状態の画面出力のための入力待機状態データをＲＡＭ８に記憶し、電源をＯＮすると同時にＳ１でＲＡＭ８よりこの入力待機状態データを読み出し、Ｓ２で検索する文字の入力待機状態となる。そして、Ｓ５で入力を受け付けている間にＣＰＵ５はＳ３でＣＤ−ＲＯＭより初期設定データを読み出す通常通りのシステム立ち上げ動作を行う。このため、利用者が検索しようとする文字を入力している間に初期設定データの読み出しが完了するので、見かけ上、電源をＯＮすると同時にシステムが立ち上がったものと思わせることができる。
【００４０】
なお、この実施例１０では、ＲＡＭ８を使用したが、実施例３に示すようなマスクＲＯＭ９を使用してもよい。
【００４１】
実施例１１．
実施例１１の情報再生装置はＲＡＭ８に記憶するデータの種類が異なることを除いては図１に示す実施例１と同じ構成を有する。図１８はこの実施例のフローチャートである。従来の情報再生装置では、実施例１０のところで説明したようなステップを踏んでいるため、電源をＯＮしてから実際に検索する文字を入力するまで、非常に時間がかかる。そこで、この実施例１１では、図１８に示すように、ＣＤ−ＲＯＭ固有の識別コードと、入力待機状態の画面出力のための入力待機状態データをＲＡＭ８に記憶し、電源をＯＮすると同時にＳ１でＲＡＭ８よりこの入力待機状態データを読み出し、Ｓ２で検索する文字の入力待機状態となる。そして、Ｓ７で入力を受け付けている間にＣＰＵ５はＳ３〜Ｓ６でＲＡＭ８より識別コード、初期設定データを読み出す。このため、利用者が検索しようとする文字を入力している間に初期設定データの読み出しが完了するので、見かけ上、電源をＯＮすると同時にシステムが立ち上がったものと思わせることができる。
【００４２】
ただし、この実施例１１では、識別コードを読み出した時、ＲＡＭ８に記憶されている所定の情報でない場合は、Ｓ８で直ちに入力待機状態を解除し、従来例と同様のシステムの立ち上げを行う。
【００４３】
なお、この実施例１１では、ＲＡＭ８を使用したが、実施例３に示すようなマスクＲＯＭ９を使用してもよい。
【００４４】
また、この実施例１１では、電源をＯＮすると同時に検索する文字の入力待機状態を表示したが、図１９のフローチャートに示すように、ＣＤ−ＲＯＭより読み出した識別コードによりＳ２で同一種類の情報であることを確認してから表示してもよい。
【００４５】
また、この実施例１１では、入力待機状態の画面出力のための入力待機状態データＲＡＭ８に記憶したが、複数の識別コードと入力待機状態データを記憶し、電源をＯＮすると同時にＣＤ−ＲＯＭより識別コードを読み出し、その識別コードに対応した入力待機状態データをＲＡＭ８より読み出し、検索文字入力待機状態の画面を表示してもよい。
【００４６】
【発明の効果】
以上のように、請求項１の発明に係る情報再生装置は、利用者が少なくとも一度使用した記録媒体に対しては、システムの立ち上げ時に、上記装置の記憶手段に記憶されている、識別コードに関連付けられている入力待機状態データを上記記憶手段より読み出し、対応する画面出力を行った上で、その後も継続してシステムの立ち上げ処理を行うので、利用者がシステムの立ち上げの遅さを感じることなく利用できるという効果がある。
【００４７】
請求項２の発明に係る情報再生装置は、記録媒体の交換が無かったと判断された場合、システムの立ち上げ時に、入力待機状態データを上記記憶手段より読み出し、対応する画面出力を行った上で、その後も継続してシステムの立ち上げ処理を行うので、利用者がシステムの立ち上げの遅さを感じることなく利用できるという効果がある。
【図面の簡単な説明】
【図１】  この発明の実施例１，４，５，６，８，１０，１１による情報再生装置のブロック回路図である。
【図２】  実施例１のシステム立ち上げのフローチャートである。
【図３】  この発明の実施例２による情報再生装置のブロック回路図である。
【図４】  実施例２のシステム立ち上げのフローチャートである。
【図５】  この発明の実施例３による情報再生装置のブロック回路図である。
【図６】  実施例３のシステム立ち上げのフローチャートである。
【図７】  この発明の実施例４のシステム立ち上げのフローチャートである。
【図８】  この発明の実施例５のシステム立ち上げのフローチャートである。
【図９】  この発明の実施例６のシステム立ち上げのフローチャートである。
【図１０】  この発明の実施例７による情報再生装置のブロック回路図である。
【図１１】  実施例７のシステム立ち上げのフローチャートである。
【図１２】  実施例７のシステム立ち上げの他の例のフローチャートである。
【図１３】  この発明の実施例８のシステム立ち上げのフローチャートである。
【図１４】  本発明の実施例９による情報再生装置のブロック回路図である。
【図１５】  実施例９で用いる情報を選択するスイッチの構成例を示す概念図である。
【図１６】  この発明の実施例９のシステム立ち上げのフローチャートである。
【図１７】  この発明の実施例１０のシステム立ち上げのフローチャートである。
【図１８】  この発明の実施例１１のシステム立ち上げのフローチャートである。
【図１９】  実施例１１のシステム立ち上げの他の例のフローチャートである。
【図２０】  従来の情報再生装置のブロック回路図である。
【図２１】  従来例のシステム立ち上げのフローチャートである。
【図２２】  従来例の検索動作のフローチャートである。
【図２３】  従来例の他の検索動作のフローチャートである。
【符号の説明】
１  ＣＤ−ＲＯＭドライブ、  ４  入力部、  ５  ＣＰＵ、  ７  ＲＯＭ、  ８  ＲＡＭ、  ９  マスクＲＯＭ、  １０  装着口開閉検出部、  １１  使用回数計数部、  １２  スイッチ
【図１】
0003636448.tif 000002
【図２】
0003636448.tif 000003
【図３】
0003636448.tif 000004
【図４】
0003636448.tif 000005
【図５】
0003636448.tif 000006
【図６】
0003636448.tif 000007
【図７】
0003636448.tif 000008
【図８】
0003636448.tif 000009
【図９】
0003636448.tif 000010
【図１０】
0003636448.tif 000011
【図１１】
0003636448.tif 000012
【図１２】
0003636448.tif 000013
【図１３】
0003636448.tif 000014
【図１４】
0003636448.tif 000015
【図１５】
0003636448.tif 000016
【図１６】
0003636448.tif 000017
【図１７】
0003636448.tif 000018
【図１８】
0003636448.tif 000019
【図１９】
0003636448.tif 000020
【図２０】
0003636448.tif 000021
【図２１】
0003636448.tif 000022
【図２２】
0003636448.tif 000023
【図２３】
0003636448.tif 000024